(57)【要約】【課題】  比較的単純な構成によりペダル土台の変形を十分に抑制でき、それにより足鍵盤のストロークを安定して確保することができる電子鍵盤楽器の足鍵盤装置を提供する。【解決手段】  左右の脚３，３を介して床面Ｆに設置された電子鍵盤楽器１の下部に設けられ、演奏者によって操作される電子鍵盤楽器の足鍵盤装置１０であって、床面Ｆとの間に間隙を存した状態で左右方向に延び、その両端部において左右の脚３，３に支持されたペダル土台１１と、ペダル土台１１に左右方向に並設されるとともに回動自在に支持され、ペダル土台１１から前方に突出し、演奏者によって踏み込まれる複数のペダル１２と、ペダル土台１１に下方から進退自在にねじ込まれ、下方への移動により床面Ｆに押圧された状態でペダル土台１１を支持するペダル土台支持部材２８と、を備えている。【選択図】  図２
2006308916.tif 000002
【特許請求の範囲】
【請求項１】
左右の脚を介して床面に設置された電子鍵盤楽器の下部に設けられ、演奏者によって操作される電子鍵盤楽器の足鍵盤装置であって、
前記床面との間に間隙を存した状態で左右方向に延び、その両端部において前記左右の脚に支持されたペダル土台と、
当該ペダル土台に左右方向に並設されるとともに回動自在に支持され、前記ペダル土台から前方に突出し、演奏者によって踏み込まれる複数のペダルと、
前記ペダル土台に下方から進退自在にねじ込まれ、下方への移動により前記床面に押圧された状態で前記ペダル土台を支持するペダル土台支持部材と、
を備えていることを特徴とする電子鍵盤楽器の足鍵盤装置。
【請求項２】
前記ペダル土台には、支持部材取付け具が設けられており、
当該支持部材取付け具は、鉛直に延びる壁板部と、当該壁板部の上端部および下端部からそれぞれ水平に延びる固定部および支持部材取付け部とを有し、前記固定部を介して前記ペダル土台に固定されており、
前記ペダル土台支持部材は、前記支持部材取付け部にねじ込まれていることを特徴とする請求項１に記載の電子鍵盤楽器の足鍵盤装置。
【発明の詳細な説明】
【技術分野】
【０００１】
本発明は、電子オルガンなどに設けられ、演奏者により踏込み操作される電子鍵盤楽器の足鍵盤装置に関する。
【背景技術】
【０００２】
電子オルガンには一般に、足鍵盤装置が設けられている。この足鍵盤装置は、ペダル土台と、このペダル土台に足鍵盤として設けられた複数のペダルとを備えている。ペダル土台は、電子オルガンの左右の脚部の間にわたって延び、その両端部において左右の脚部に固定されるとともに、床面との間に間隙を存するように設けられている。複数のペダルは、ペダル土台から前方に突出し、左右方向に並設されている。各ペダルは、後端部においてペダル土台に回動自在に支持されており、通常は前端部が床面から離れた状態にあり、演奏者により踏込み操作され、前端部が床面に当接することにより、ペダルの下方への回動が規制されることによって、ストロークが決定される。
【０００３】
以上のように、この従来の足鍵盤装置では、ペダル土台は、左右の脚部の間に長く延び、また、床面との間に間隙を存していて、足鍵盤装置全体が、左右の脚部のみによって支持されている。このため、演奏者がペダルを強く踏み込んだときに、踏込み荷重の一部が、ペダルを介してペダル土台に下向きに作用することによって、ペダル土台が撓むおそれがあり、その場合には、踏込み操作を安定して行うことができない。
【０００４】
また、このような下向きの荷重がペダル土台に繰り返し作用すると、ペダル土台の撓みが反りとして残留するおそれがある。その結果、電子オルガンの外観を損なうおそれがあり、またペダル土台の反りが大きくなると、反りが大きい部分、例えばペダル土台の中央においては特に、ペダルと床面の間の距離が小さくなることによって、足鍵盤の十分なストロークを確保できなくなるおそれがある。さらに、ペダル間で反りの大きさが異なると、ペダルの踏込み量が異なるようになり、演奏者がペダルを踏み込んだときの感覚がペダル間で異なるため、演奏者に違和感を与えるおそれがある。
【０００５】
また、従来の足鍵盤装置として、例えば特許文献１に開示されたものが知られている。この足鍵盤装置は、左右方向に並設され、前後方向に延びる複数の鍵（ペダル）と、左右方向に延び、複数の鍵の前端部および後端部をそれぞれ収容する前後のケースと、並設された複数の鍵の間に前後方向に延び、前後のケースを連結する複数の連結棒とを備えている。各連結棒は、前端部および後端部において前後のケースにそれぞれ固定されており、また、前後のケースの下面には、それぞれ脚部が設けられていて、この脚部は、床面に接地された状態で前後のケースを支持している。各鍵は、前端部において前側のケースに回動自在に支持されており、その前側の部分を演奏者によって踏み込まれることにより回動し、その踏込み量は、後側のケース内に設けられたスイッチによって検出される。
【０００６】
この足鍵盤装置は、鍵を収容する前後のケースが直接、床面に接地されているため、ケースの撓みやそれによる鍵のストロークの減少などの問題は生じない。しかし、楽器本体とは分離して設けられるタイプのものであるので、ペダルをペダル土台に直接、取り付ける上述したタイプの電子オルガンには適用できない。また、前後のケースや連結棒などを別個に設けなければならず、部品点数が多いとともに、構成が複雑であるため、製造コストが増大してしまう。
【０００７】
本発明は、以上のような課題を解決するためになされたものであり、比較的単純な構成によりペダル土台の変形を十分に抑制でき、それにより足鍵盤のストロークを安定して確保することができる電子鍵盤楽器の足鍵盤装置を提供することを目的としている。
【０００８】
【特許文献１】特開２００３−１６７５８２号公報  （第３，４頁、第１〜３図）
【発明の開示】
【課題を解決するための手段】
【０００９】
上記の目的を達成するために、本発明の請求項１に係る発明は、左右の脚を介して床面に設置された電子鍵盤楽器の下部に設けられ、演奏者によって操作される電子鍵盤楽器の足鍵盤装置であって、床面との間に間隙を存した状態で左右方向に延び、その両端部において左右の脚に支持されたペダル土台と、ペダル土台に左右方向に並設されるとともに回動自在に支持され、ペダル土台から前方に突出し、演奏者によって踏み込まれる複数のペダルと、ペダル土台に下方から進退自在にねじ込まれ、下方への移動により床面に押圧された状態でペダル土台を支持するペダル土台支持部材と、を備えていることを特徴とする。
【００１０】
この足鍵盤装置によれば、ペダル土台は、床面との間に間隙を存した状態で左右方向に延び、両端部において左右の脚に支持されている。このペダル土台には、複数のペダルが前方に突出するように設けられており、これらのペダルは、演奏者によって踏込み操作される。
【００１１】
また、ペダル土台には、ペダル土台支持部材が下方から進退自在にねじ込まれており、このペダル土台支持部材は、その回転操作により下方に移動させられ、床面に押圧された状態でペダル土台を支持する。このように、ペダル土台と床面の間にペダル土台支持部材が設けられているので、演奏者がペダルを踏み込んだ際にペダル土台に作用する下向きの荷重を、ペダル土台支持部材によって下側から支持することができる。それにより、ペダル土台の撓みを十分に抑制することができる。また、ペダル土台支持部材がペダル土台に進退自在にねじ込まれているので、ペダル土台支持部材を進退させることによって、ペダル土台支持部材の上下方向の位置を容易に調整することができる。それにより、例えば、電子鍵盤楽器を移動した場合でも、床面の状態に応じてペダル土台支持部材を床面に確実に押圧された状態にすることにより、ペダル土台を確実に支持することができる。
【００１２】
また、踏込み時のペダル土台の撓みを抑制できることにより、ペダルの踏込み操作を安定して行うことができる。また、同じ理由から、ペダルの十分なストロークを確保できるとともに、ストロークの大きさを初期の設定状態に維持できるので、演奏者は、ペダルの踏込み操作を違和感なく行うことができる。
【００１３】
さらに、ペダル土台支持部材が、演奏者などから見え難いペダル土台と床面と間に設けられているので、電子鍵盤楽器の良好な外観を損なうことなく、上記の効果を得ることができる。
【００１４】
請求項２に係る発明は、請求項１に記載の電子鍵盤楽器の足鍵盤装置において、ペダル土台には、支持部材取付け具が設けられており、支持部材取付け具は、鉛直に延びる壁板部と、壁板部の上端部および下端部からそれぞれ水平に延びる固定部および支持部材取付け部とを有し、固定部を介してペダル土台に固定されており、ペダル土台支持部材は、支持部材取付け部にねじ込まれていることを特徴とする。
【００１５】
この構成によれば、ペダル土台には、支持部材取付け具が設けられており、この支持部材取付け具は、鉛直に延びる壁板部と、その上端部および下端部からそれぞれ水平に延びる固定部および支持部材取付け部を有していて、固定部を介してペダル土台に固定されている。また、ペダル土台支持部材は、支持部材取付け部にねじ込まれている。このように、鉛直な壁板部および水平な固定部などを有する支持部材取付け具を介して、ペダル土台支持部材がペダル土台に固定されているので、支持部材取付け具によって、ペダル土台の剛性が補強され、それにより、ペダルが踏込み操作された際のペダル土台の撓みを、さらに抑制することができる。
【発明を実施するための最良の形態】
【００１６】
以下、図面を参照しながら、本発明の実施形態を詳細に説明する。図１は、本発明の一実施形態による足鍵盤装置１０を適用した電子オルガン１（電子鍵盤楽器）を示している。この電子オルガン１は、オルガン本体２と、オルガン本体２を床面Ｆ上に支持する左右の脚３，３と、電子オルガン１の下部に設けられた足鍵盤装置１０などを備えている。なお、以下の説明では、演奏者側から見たときの電子オルガン１の手前側を「前」、奥側を「後」として説明する。
【００１７】
オルガン本体２は、鍵盤４、左右の腕木５，５および演奏音の音色などの設定を行うための操作パネル６などを有している。また、オルガン本体２の内部には、電子オルガン１の発音を制御するための多数の電子部品で構成された発音制御装置、およびスピーカ（ともに図示せず）などが設けられており、鍵盤４の鍵４ａを押鍵することによって、また、後述するペダル１２を踏み込むことによって、スピーカから演奏音が放音される。
【００１８】
左右の脚３，３は、板状に形成され、上下方向に延びており、互いに間隔を隔てて配置されている。オルガン本体２は、左右の脚３，３に左右の腕木５，５をそれぞれ載置した状態で、脚３，３によって支持されている。また、足鍵盤装置１０は、オルガン本体２の下方において、左右の脚３，３の間に配置されている。
【００１９】
足鍵盤装置１０は、ペダル土台１１と、ペダル土台１１に設けられ、前方に突出する計２０個のペダル１２などを備えている。ペダル土台１１は、床面Ｆとの間に間隙を存した状態で左右方向に延びており、その両端部において、左右の脚３，３にそれぞれ固定されている。また、図２に示すように、ペダル土台１１は、水平な天板１４と、天板１４の前端部から斜め下方に延びる斜板１７と、この斜板１７の前端部および天板１４の後端部から下方にそれぞれ延びる前板１５および背板１６とで構成され、ペダル土台１１の内部には、ペダル基部２０が設けられている。また、前板１５の下端部には、左右方向に延びる開口１５ａが形成されており、この開口１５ａを介してペダル１２が前方に突出している。
【００２０】
天板１４の上面には、その中央よりも右寄りの位置にエクスプレッションペダル１３が設けられている。このエクスプレッションペダル１３は、演奏者によって踏込み操作され、その踏込み量がペダルスイッチ（図示せず）によって検出される。オルガン本体２の発音制御装置は、検出された踏込み量に基づいて、演奏音の音量を変化させる。
【００２１】
また、天板１４の裏面には、添え板１８が貼り付けられている。この添え板１８は、天板１４とほぼ同じ厚さを有し、前後および左右方向のサイズが天板１４よりも小さく、天板１４に沿ってその左端部からエクスプレッションペダル１３の右方まで延びている。ペダル基部２０は、このような添え板１８の下面に取り付けられている。
【００２２】
ペダル基部２０は、ぺダル１２をペダル土台１１に取り付けるためのものであり、左右の端部の足鍵盤支持金具２１，２１、およびこれらの間に間隔を隔てて配置された計３つの足鍵盤取付け金具２２を有している。各足鍵盤支持金具２１は、添え板１８の前後方向の長さよりも若干、短い幅の金属板で構成され、所定の形状に折曲げ加工されている。足鍵盤支持金具２１，２１は、その上端部において、それぞれ３つのねじ２９（１つのみ図示）によって、添え板１８の下面の左右の端部に固定されている。また、足鍵盤支持金具２１の下端部には、後述するシャーシ２３を取り付けるための複数のボルト挿入孔（図示せず）が、前後方向に並ぶように形成されている。
【００２３】
各足鍵盤取付け金具２２は、足鍵盤支持金具２１よりも幅の短い金属板で構成され、所定の形状に折曲げ加工されており、上端部において、２つのねじ２９によって添え板１８の下面に固定されている。また、足鍵盤取付け金具２２の下端部には、シャーシ２３を取り付けるための前後２つのボルト挿入孔（図示せず）が形成されている。
【００２４】
足鍵盤支持金具２１および足鍵盤取付け金具２２には、下方からシャーシ２３が取り付けられている。シャーシ２３は、左右の足鍵盤支持金具２１，２１の間にわたって延びており、金属板で構成され、所定の形状に折曲げ加工されている。また、このシャーシ２３は、前側から順に、ばね設置部２３ａ、スイッチ取付け部２３ｂおよびペダル取付け部２３ｃになっており、スイッチ取付け部２３ｂには、前述した足鍵盤支持金具２１および足鍵盤取付金具２２のボルト挿入孔に対応する位置に、同じ径のボルト挿入孔（図示せず）が形成されている。なお、中央の足鍵盤支持金具２２に相当する部分には、後述するアジャスタボルト取付け金具２８を取り付けるために、前後３つのボルト挿入孔が形成されている。シャーシ２３は、ボルト挿入孔に下方から通されたボルト２４ａとナット２４ｂによって、足鍵盤支持金具２１および足鍵盤取付け金具２２に取り付けられている。
【００２５】
また、スイッチ取付け部２３ｂの上面には、ペダル１２ごとにペダルスイッチ２５が設けられている。このペダルスイッチ２５は、シャーシ２３にねじ止めされたプリント基板２５ａと、その上面に設けられたスイッチ本体２５ｂを有している。スイッチ本体２５ｂは、プリント基板２５ａを介して、オルガン本体２の発音制御装置に接続されている。
【００２６】
また、ペダル取付け部２３ｃは、シャーシ２３の後端部に設けられており、スイッチ取付け部２３ｂよりも若干、低い水平部２３ｄと、この水平部２３ｄからペダル１２ごとに下方に突出する左右一組のペダル支持部２３ｅ，２３ｅ（１つのみ図示）とを有している。また、水平部２３ｄの一組のペダル支持部２３ｅ，２３ｅの間の部分には、後述するアーム１２ｆが通される孔（図示せず）が形成されており、各ペダル支持部２３ｅには、ピン取付け孔２３ｆが形成されいる。
【００２７】
ペダル１２は、足鍵盤を構成するものであり、１２個の白鍵ペダル１２ａおよび８個の黒鍵ペダル１２ｂによって構成されている。各ペダル１２は、ペダル本体１２ｃ、ペダルカバー１２ｄおよびストッパ１２ｅを有している。ペダル本体１２ｃは、例えば真鍮によって構成されており、前後方向に長く延びている。また、その後端部には、ピン挿入孔（図示せず）が形成されていて、このピン挿入孔および上述したペダル支持部２３ｅのピン取付け孔２３ｆには、ピン２６が通されている。これにより、各ペダル１２は、対応するペダル支持部２３ｅ，２３ｅにピン２６を中心として回動自在に支持されている。
【００２８】
また、白鍵ペダル１２ａは、ペダル土台１１から前方に大きく突出しており、これに対し、黒鍵ペダル１２ｂは白鍵ペダル１２ａよりも短い。また、ペダルカバー１２ｄは、各ペダル１２の上面前端部に設けられており、黒鍵ペダル１２ｂ用のものは、白鍵１２ａのものよりも背が高くなっている。また、ストッパ１２ｅは、各ペダル本体１２ｃの下面前端部に下方に突出するように設けられている。
【００２９】
ペダル本体１２ｃの上面後端部には、アーム１２ｆが設けられている。このアーム１２ｆは、前述した水平部２３ｄのアーム用の孔を介して斜め前方に延び、さらにその先端から前方に延びており、その前端部は、前述したペダルスイッチ１５の上方に位置している。
【００３０】
シャーシ２３のばね設置部２３ａとペダル１２の間には、ペダルばね２７が設けられている。このペダルばね２７はコイルばねで構成されており、その上端がばね設置部２３ａの下面に当接し、下端がペダル本体１２ｃの上面に当接している。ペダルばね２７は、引張りばねとして構成されており、ペダル１２は、通常時には、このペダルばね２７により持ち上げられ、床面Ｆとの間に間隙を存した状態になっている。
【００３１】
また、ペダル基部２０には、アジャスタボルト取付け金具（以下、単に「ボルト取付け金具」という）２８（支持部材取付け具）が取り付けられており、このボルト取付け金具２８には、アジャスタボルト３０（ペダル土台支持部材）が取り付けられている。図３および４に示すように、このボルト取付け金具２８もまた、金属板を所定の形状に折曲げ加工されることにより所定の形状に形成されている。また、このボルト取付け金具２８は、鉛直に延びる壁板部２８ａと、この壁板部２８ａの上端部および下端部からそれぞれ水平に延びるシャーシ固定部２８ｂ（固定部）およびボルト取付け部２８ｃ（支持部材取付け部）とを有しており、これらによって断面コ字状に形成されている。
【００３２】
ボルト取付け部２８ｃの前部には、ねじ孔２８ｄが形成されている。このねじ孔２８ｄの付近は周辺部よりも厚くなっている。また、シャーシ固定部２８ｂには、足鍵盤取付け金具２２およびシャーシ２３のボルト挿入孔と同じ間隔で、前後２つのボルト挿入孔２８ｅ，２８ｅが形成されている。また、シャーシ固定部２８ｂの後端からは、段差部２８ｆが後方に延びており、そのシャーシ固定部２８ｂとの段差は、前述したシャーシ２３のスイッチ取付け部２３ｂと水平部２３ｄの間の段差と同じ高さに設定されている。また、段差部２３ｂの後端部にも、ボルト挿入孔２８ｅが形成されている。
【００３３】
以上のようなボルト取付け金具２８は、中央の足鍵盤取付け金具２２と左右方向の位置を合わせてシャーシ２３の下方から取り付けられている。具体的には、ボルト２４ａを、ボルト挿入孔２８ｅと、シャーシ２３および足鍵盤取付け金具２２のボルト挿入孔とに下方から通し、両者２２，２３と一緒に共締めされた状態で、取り付けられている。また、段差部２８ｆのボルト挿入孔２８ｅにも下方からボルト２８ｅが通され、シャーシ２３と共締めされている。
【００３４】
アジャスタボルト３０は、圧接部３０ａおよびボルト部３０ｂを有している。圧接部３０ａは、高い強度を有する材料、例えばＡＢＳ樹脂によって構成されており、円板状に形成されている。ボルト部３０ｂは、圧接部３０ａの中央から上方に突出しており、アジャスタボルト３０は、このボルト部３０ｂをボルト取付け金具２８のねじ孔２８ｄにねじ込むことにより、ペダル土台１１に上下方向に進退自在に取り付けられている。
【００３５】
以上のような電子オルガン１を設置する際には、まず、アジャスタボルト３０をねじ孔２８ｄに大きくねじ込み、その圧接部３０ａと床面Ｆとの間に間隙を存した状態で、左右の脚３，３を床面Ｆに接地させる。そして、アジャスタボルト３０を回すことによって、圧接部３０ａが床面Ｆに当接するまで、アジャスタボルト３０を下方に移動させる。アジャスタボルト３０を同じ方向にさらに回すと、圧接部３０ａが、床面Ｆに押圧された状態になる。これにより、ペダル土台１１は、左右の脚３，３に加えて、アジャスタボルト３０によっても支持された状態になる。
【００３６】
次いで、足鍵盤装置１０の動作について説明する。演奏者が図２の状態からペダル１２の前端部を踏み込むと、ペダル１２は、ペダルばね２７の付勢力に抗して、後端部のピン２６を中心として図２の反時計方向に回動する。その際、後端部のアーム１２ｆも一緒に回動し、ペダルスイッチ２５を押すことによって、ペダル１２の踏込み状態が検出される。それにより、演奏音がスピーカから放音される。
【００３７】
ペダル１２がさらに踏み込まれると、そのストッパ１２ｅが床面Ｆに当接することによって、ペダル１２の回動が阻止される。踏込みの際には、下向きの荷重がペダル１２に作用し、このような下向きの荷重は、ペダル本体１２ｃを介してペダル土台１１にも伝達され、アジャスタボルト３０によって支持される。
【００３８】
以上のように、本実施形態によれば、ペダル土台１１と床面Ｆの間にアジャスタボルト３０が設けられているので、演奏者がペダル１２を踏み込んだ際にペダル土台１１に作用する下向きの荷重を、アジャスタボルト３０によって下側から支持することができる。それにより、ペダル土台１１の撓みを十分に抑制することができる。また、アジャスタボルト３０がペダル土台１１に進退自在にねじ込まれているので、アジャスタボルト３０を進退させることによって、その上下方向の位置を容易に調整することができる。それにより、例えば、電子オルガン１を移動した場合でも、床面Ｆの状態に応じてアジャスタボルト３０を床面Ｆに確実に押圧された状態にすることにより、ペダル土台１１を確実に支持することができる。
【００３９】
また、踏込み時のペダル土台１１の撓みを抑制できることにより、ペダル１２の踏込み操作を安定して行うことができる。また、同じ理由から、ペダル１２の十分なストロークを確保できるとともに、ストロークの大きさを初期の設定状態に維持できるので、演奏者は、ペダル１２の踏込み操作を違和感なく行うことができる。
【００４０】
また、アジャスタボルト３０が、演奏者などから見え難いペダル土台１１と床面Ｆとの間に設けられているので、電子オルガン１の良好な外観を損なうことなく、上記の効果を得ることができる。
【００４１】
また、ペダル土台１１には、鉛直な壁板部２８ａと、水平な固定部２８ｂおよびボル取付け部２８ｃなどを有するボルト取付け金具２８を介して、アジャスタボルト３０がペダル土台１１に固定されているので、ボルト取付け金具２８によって、ペダル土台１１の剛性が補強され、それにより、ペダル１２が踏込み操作された際のペダル土台１１の撓みを、さらに抑制することができる。
【００４２】
また、アジャスタボルト３０が、踏込み操作の際に発生する撓み量が最も大きくなりやすいペダル土台１１の左右方向の中央に配置されているので、踏込み操作の際に、ペダル土台１１をより確実に支持し、その撓みの発生を確実に抑制することができる。
【００４３】
なお、本発明は、説明した上記実施形態に限定されることなく、種々の態様で実施することができる。例えば、実施形態は、アジャスタボルト３０をペダル土台１１の中央に１つのみ設けた例であるが、これに代えて、またはこれとともに、例えば左右の足鍵盤取付け金具２２の部分など、他の部分に取り付けてもよい。
【００４４】
また、上述した実施形態は、本発明の足鍵盤装置を電子オルガンに適用した例であるが、これに限定されることなく、電子ピアノなど、ペダルを有する他の電子鍵盤楽器にも適用することができる。その他、細部の構成を、本発明の趣旨の範囲内で適宜、変更することが可能である。
【図面の簡単な説明】
【００４５】
【図１】本発明の第１実施形態による足鍵盤装置を含む電子オルガンを、ペダル土台の前板を省略した状態で示す正面図である。
【図２】図１の線Ａ−Ａに沿う足鍵盤装置の断面図である。
【図３】足鍵盤装置のアジャスタボルト取付け金具の平面図を示している。
【図４】図３のアジャスタボルト取付け金具の側面図を示している。
【符号の説明】
【００４６】
１    電子オルガン（電子鍵盤楽器）
３    脚
１０    足鍵盤装置
１１    ペダル土台
１２    ペダル
２８    アジャスタボルト取付け金具（支持部材取付け具）
２８ａ  壁板部
２８ｂ  シャーシ固定部（固定部）
２８ｃ  ボルト取付け部（支持部材取付け部）      
３０    アジャスタボルト（ペダル土台支持部材）
Ｆ      床面
【図１】
2006308916.tif 000003
【図２】
2006308916.tif 000004
【図３】
2006308916.tif 000005
【図４】
2006308916.tif 000006